(57)【要約】      （修正有）【課題】安定性を損ねることなしに使用者が左右側方及び後方から無理なく移動させることができる点滴スタンドを提供する。【解決手段】脚ベース１が、前側の左右に隣接する２つのキャスタ１１間の距離ｗ１を前側の左のキャスタ１１に隣接する後側の左のキャスタ１１と前側の右のキャスタ１１に隣接する後側の右のキャスタ１１との間の距離ｗ２よりも大きく設定したもので、前側の左右のキャスタ１１間に前方に開放された前の起立空間１ｓ１が形成され、前側の左のキャスタ１１と後側の左のキャスタ１１との間に左側方及び後方に開放された左の起立空間１ｓ１が形成され、前側の右のキャスタ１１と後側の右のキャスタ１１との間に右側方及び後方に開放された右の起立空間１ｓ３が形成されるように構成されたものであることを特徴とする。【選択図】図６
2013017656.tif 000002
【特許請求の範囲】
【請求項１】
移動可能な脚ベースに支柱を支持させ、その支柱に輸液パックを掛けるための輸液パック保持部を設けてなる点滴スタンドであって、
前記脚ベースが、前側の左右に隣接する２つのキャスタ間の距離を前側の左のキャスタに隣接する後側の左のキャスタと前側の右のキャスタに隣接する後側の右のキャスタとの間の距離よりも大きく設定したもので、前側の左右のキャスタ間に前方に開放された前の起立空間が形成され、前側の左のキャスタと後側の左のキャスタとの間に左側方及び後方に開放された左の起立空間が形成され、前側の右のキャスタと後側の右のキャスタとの間に右側方及び後方に開放された右の起立空間が形成されるように構成されたものであることを特徴とする点滴スタンド。
【請求項２】
前記脚ベースが、先端部にキャスタを設けた脚フレームを備えたものであり、脚フレームの先端部以外の部分が、少なくとも前側の左のキャスタと後側の左のキャスタとを結ぶ直線、前側の右のキャスタと後側の右のキャスタとを結ぶ直線よりも内側に位置している請求項１記載の点滴スタンド。
【請求項３】
前記脚ベースが、前記支柱を支持するための中心フレームと、この中心フレームから外方に延出し先端部にキャスタを設けた複数本の脚フレームとを備えたものである請求項１又は２記載の点滴スタンド。
【請求項４】
前記脚ベースが、前記支柱を支持するための左右方向に延びる中心フレームと、この中心フレームの左右両端から前方に延出する前側の２本の脚フレームと、前記中心フレームの中間部から後方に延出する後側の２本の脚フレームとを備えたものである請求項３記載の点滴スタンド。
【請求項５】
前記脚ベースが、前側の左右のキャスタを支持する２本の脚フレーム間に前方に開放された前の起立空間が形成され、前側の左のキャスタを支持する脚フレームと後側の左のキャスタを支持する脚フレームとの間に左側方及び後方に開放された左の起立空間が形成され、前側の右のキャスタを支持する脚フレームと後側の右のキャスタを支持する脚フレームとの間に右側方及び後方に開放された右の起立空間が形成されるように構成されたものである請求項２、３又は４記載の点滴スタンド。
【請求項６】
前記支柱に、左右両側及び前側からそれぞれ把持可能なハンドルが設けられている請求項１、２、３、４又は５記載の点滴スタンド。
【請求項７】
前記脚ベースが、先端部にキャスタを設けた４本の脚フレームを有し、前側のキャスタを支持する２本の脚フレーム及び後側のキャスタを支持する２本の脚フレームがそれぞれ平面視において先端側が拡開するハの字状に配されており、前側の脚フレームの下に同一構造をなす他の点滴スタンドの後側の脚フレームを通過させることが可能な空間が形成されるように構成されている請求項１、２、３、４、５又は６記載の点滴スタンド。
【請求項８】
前記支柱に、左右両側及び前側からそれぞれ把持可能なハンドルが上下方向に取付位置を変更可能に設けられている請求項７記載の点滴スタンド。
【発明の詳細な説明】
【技術分野】
【０００１】
本発明は、輸液パックを掛けるための輸液フックを備えた移動可能な点滴スタンドに関する。
【背景技術】
【０００２】
従来、この種の点滴スタンドとして、移動可能な脚ベースに支柱を支持させ、その支柱に輸液パックを掛けるための輸液パック保持部を設けてなるものが知られている（例えば、特許文献１を参照）。この点滴スタンドＡＳの脚ベースＡ１は、図１２に模式的に示すように、支柱Ａ２から外方に向かって放射状に伸びる位置に５つのキャスタＡ１１を備えており、各キャスタＡ１１は、同一のピッチで環状に配されている。
【０００３】
使用者Ｕがこのような点滴スタンドＡＳを使用者Ｕの進行方向へ移動させる際には、通常、支柱Ａ２の後側に立つ場合と、支柱Ａ２の左右いずれかの側に立つ場合が考えられる。この際、従来のものであると、キャスタＡ１１を支持する脚フレームＡ１２２、Ａ１２３が使用者Ｕの脚の邪魔になるため、使用者Ｕが支柱Ａ２に近づくことが難しい。そのため、点滴スタンドＡＳを無理な姿勢で移動させざるを得ず、また、安定性を求めて支柱Ａ２に近づくと使用者Ｕの脚が脚フレームＡ１２２、Ａ１２３にひっかかったりするという問題が生じ得る。
【０００４】
このような問題を解決するために、キャスタの数を減らすことも考えられるが、安定性を損ねるという問題も生じる。
【先行技術文献】
【特許文献】
【０００５】
【特許文献１】特開２００６−２３０４７９号公報
【発明の概要】
【発明が解決しようとする課題】
【０００６】
本発明は、以上のような事情に鑑みて、安定性を損ねることなしに使用者が左右側方及び後方から無理なく移動させることができる点滴スタンドを提供することを目的としている。
【課題を解決するための手段】
【０００７】
本発明は、以上のような課題を解決するために、次のような構成を採用したものである。すなわち、本発明に係る点滴スタンドは、移動可能な脚ベースに支柱を支持させ、その支柱に輸液パックを掛けるための輸液パック保持部を設けてなるものであって、前記脚ベースが、前側の左右に隣接する２つのキャスタ間の距離を前側の左のキャスタに隣接する後側の左のキャスタと前側の右のキャスタに隣接する後側の右のキャスタとの間の距離よりも大きく設定したもので、前側の左右のキャスタ間に前方に開放された前の起立空間が形成され、前側の左のキャスタと後側の左のキャスタとの間に左側方及び後方に開放された左の起立空間が形成され、前側の右のキャスタと後側の右のキャスタとの間に右側方及び後方に開放された右の起立空間が形成されるように構成されたものであることを特徴とする。
【０００８】
ここで、「起立空間」とは、点滴スタンドを使用する使用者が静止姿勢または歩行姿勢で、脚の全部または一部を配置できる空間であればどのようなものであってもよい。
【０００９】
このようなものであれば、少なくとも４つのキャスタを備えているため、安定性を損ねることがなく、また、前の起立空間を利用して使用者が後方から無理なく移動させることができるとともに、左の起立空間または右の起立空間を利用して使用者が左右側方から無理なく移動させることができる。
【００１０】
前記脚ベースの好ましい態様としては、先端部にキャスタを設けた脚フレームを備えたものであり、脚フレームの先端部以外の部分が、少なくとも前側の左のキャスタと後側の左のキャスタとを結ぶ直線、前側の右のキャスタと後側の右のキャスタとを結ぶ直線よりも内側に位置しているものが挙げられる。
【００１１】
具体的には、前記脚ベースが、前記支柱を支持するための中心フレームと、この中心フレームから外方に延出し先端部にキャスタを設けた複数本の脚フレームとを備えたものが挙げられる。ここで、「中心フレーム」とは、支柱を支持し複数本の脚フレームの基端部が設けられるものであればどのようなものであってもよく、ブロック状のものや、長尺状のもの等種々含まれる。
【００１２】
前記脚ベースの好適な一例としては、前記支柱を支持するための左右方向に延びる中心フレームと、この中心フレームの左右両端から前方に延出する前側の２本の脚フレームと、前記中心フレームの中間部から後方に延出する後側の２本の脚フレームとを備えたものが挙げられる。
【００１３】
前記脚ベースの好適な態様としては、前側の左右のキャスタを支持する２本の脚フレーム間に前方に開放された前の起立空間が形成され、前側の左のキャスタを支持する脚フレームと後側の左のキャスタを支持する脚フレームとの間に左側方及び後方に開放された左の起立空間が形成され、前側の右のキャスタを支持する脚フレームと後側の右のキャスタを支持する脚フレームとの間に右側方及び後方に開放された右の起立空間が形成されるように構成されたものが挙げられる。
【００１４】
前記支柱に、左右両側及び前側からそれぞれ把持可能なハンドルが設けられていれば、ハンドルを掴んで移動させることもできる。
【００１５】
前記脚ベースが、先端部にキャスタを設けた４本の脚フレームを有し、前側のキャスタを支持する２本の脚フレーム及び後側のキャスタを支持する２本の脚フレームがそれぞれ平面視において先端側が拡開するハの字状に配されており、前側の脚フレームの下に同一構造をなす他の点滴スタンドの後側の脚フレームを通過させることが可能な空間が形成されるように構成されていれば、同一構造をなす複数の点滴スタンドを重ね合わせてネスティングさせておくことができる。
【００１６】
前記支柱に、左右両側及び前側からそれぞれ把持可能なハンドルが上下方向に取付位置を変更可能に設けられていれば、同一構造をなす複数の点滴スタンドを重ね合わせてネスティングさせた際にハンドル同士が干渉することを抑制できる。
【発明の効果】
【００１７】
本発明は、以上のような構成であるから、安定性を損ねることなしに使用者が左右側方及び後方から無理なく移動させることができる点滴スタンドを提供することができる。
【図面の簡単な説明】
【００１８】
【図１】本発明の第一実施形態に係る点滴スタンドを示す全体斜視図。
【図２】同実施形態に係る点滴スタンドを一部省略して示す正面図。
【図３】同実施形態に係る点滴スタンドを一部省略して示す左側面図。
【図４】同実施形態に係る点滴スタンドを示す平面図。
【図５】図２におけるＡ−Ａ断面図。
【図６】図２におけるＢ−Ｂ断面図。
【図７】図２における要部を破断して示す図。
【図８】同実施形態に係る輸液フックの取付態様を示す分解斜視図。
【図９】同実施形態に係る点滴スタンドのネスティング態様を示す図。
【図１０】同実施形態に係る点滴スタンドの脚ベースと使用者の脚との関係を模式的に示す図。
【図１１】同実施形態に係る点滴スタンドの脚ベースと使用者の脚との関係を模式的に示す図。
【図１２】従来例の点滴スタンドの脚ベースと使用者の脚との関係を模式的に示す図。
【図１３】本発明の第二実施形態に係る点滴スタンドを一部省略して示す正面図。
【図１４】同実施形態に係る点滴スタンドを一部省略して示す左側面図。
【図１５】同実施形態に係る点滴スタンドのネスティング態様を示す図。
【図１６】同実施形態に係る点滴スタンドのネスティング態様を示す図。
【図１７】本発明の第三実施形態に係る点滴スタンドを示す全体斜視図。
【図１８】同実施形態に係る点滴スタンドの図６に対応する断面図。
【図１９】本発明の第四実施形態に係る点滴スタンドの要部を模式的に示す図。
【図２０】本発明の第五実施形態に係る点滴スタンドの要部を模式的に示す図。
【図２１】本発明の第六実施形態に係る点滴スタンドの要部を模式的に示す図。
【図２２】本発明の第七実施形態に係る点滴スタンドの要部を模式的に示す図。
【図２３】本発明の第八実施形態に係る点滴スタンドの要部を模式的に示す図。
【発明を実施するための形態】
【００１９】
＜第一実施形態（図１〜図１１）＞
以下本発明の一実施形態を、図１〜図１１を参照して説明する。
【００２０】
この点滴スタンドＳは、図１〜図４に示すように、移動可能な脚ベース１に支柱２を支持させ、その支柱２に輸液パックＰを掛けるための輸液パック保持部である輸液フック３及び左右両側及び前側からそれぞれ把持可能なハンドル４を設けてなる。
【００２１】
脚ベース１は、図１〜図６に示すように、キャスタ１１と、キャスタ１１を支持する支持部材１２とを具備してなる。支持部材１２は、樹脂により一体に成形されたもので、前記支柱２を支持するための左右方向に延びる中心フレーム１２１と、この中心フレーム１２１の左右両端から前方に延出する前側の２本の脚フレーム１２２と、前記中心フレーム１２１の中間部から後方に延出する後側の２本の脚フレーム１２３とを備えており、平面視略Ｈ字状をなしている。前記中心フレーム１２１の中央には、前記支柱２が立設されている。前記中心フレーム１２１及び前記前側の２本の脚フレーム１２２は、略同一平面上に配置されているとともに、前記後側の２本の脚フレーム１２３は前記中心フレーム１２１の下面１２１ａから略水平に延びるように配置されている。この支持部材１２の高さ寸法ｈ１は、一般的な病室用ベッド下方の隙間に挿入可能な大きさに設定されている。また、この脚ベース１は、前側の左右に隣接する２つのキャスタ１１間の距離ｗ１を前側の左のキャスタ１１に隣接する後側の左のキャスタ１１と前側の右のキャスタ１１に隣接する後側の右のキャスタ１１との間の距離ｗ２よりも大きく設定してある。さらに、この脚ベース１は、前側の左右のキャスタ１１間に前方に開放された前の起立空間１ｓ１が形成され、前側の左のキャスタ１１と後側の左のキャスタ１１との間に左側方及び後方に開放された左の起立空間１ｓ２が形成され、前側の右のキャスタ１１と後側の右のキャスタ１１との間に右側方及び後方に開放された右の起立空間１ｓ３が形成されるように構成されたものである。すなわち、脚フレーム１２２、１２３の先端部１２２ａ、１２３ａ以外の部分が、少なくとも前側の左のキャスタ１１と後側の左のキャスタ１１とを結ぶ直線、前側の右のキャスタ１１と後側の右のキャスタ１１とを結ぶ直線よりも内側に位置している。また、前側の脚フレーム１２２の先端部１２２ａ以外の部分が、前側の左のキャスタ１１と前側の右のキャスタ１１とを結ぶ直線よりも内側に位置している。具体的には、前記脚ベース１は、先端にキャスタ１１を有した４本の脚フレーム１２２、１２３を有し、前側のキャスタ１１を支持する２本の脚フレーム１２２及び後側のキャスタ１１を支持する２本の脚フレーム１２３がそれぞれ平面視において先端側が拡開するハの字状に配されており、前側の脚フレーム１２２の下に同一構造をなす他の点滴スタンドＳの後側の脚フレーム１２３を通過させることが可能な空間が形成されるように構成されている。この構成によって、後述するように複数の点滴スタンドＳをネスティングすることができるようにしてある。前記前の起立空間１ｓ１は、平面視において前方に開放されたもので、この点滴スタンドＳの前側に起立した使用者Ｕが当該点滴スタンドＳを後方に、すなわち使用者Ｕの進行方向に押しながら歩行することが可能な大きさに設定されている。前記左の起立空間１ｓ２は、平面視において左側方及び後方に開放されたもので、この点滴スタンドＳの左側に起立した使用者Ｕが当該点滴スタンドＳを前方に押しながら歩行することが可能な大きさに設定されている。前記右の起立空間１ｓ３は、平面視において右側方及び後方に開放されたもので、この点滴スタンドＳの右側に起立した使用者Ｕが当該点滴スタンドＳを前方に押しながら歩行することが可能な大きさに設定されている。そして、前記支持部材１２を構成する前側の２本の脚フレーム１２２の下に、前記前の起立空間１ｓ１及び前記左右の起立空間１ｓ２、１ｓ３にそれぞれ連通する蹴り込み空間１ｓ４が形成されている。この蹴り込み空間１ｓ４は、正面視、側面視及び背面視において視認可能に開口したもので、その高さ寸法ｈ２は、一般的な体格を有する成人のつま先が歩行中に進入可能な大きさに設定されている。一方、前記キャスタ１１は、双輪タイプのもので、その幅寸法はエレベータと該エレベータの乗り口との間の隙間の幅寸法よりも大きい。具体的には、前記キャスタ１１の幅寸法は３０ｍｍ以上であることが望ましく、本実施形態では６０ｍｍに設定されている。
【００２２】
前記支柱２は、伸縮可能なもので、図１〜図３及び図７に示すように、前記脚ベース１に立設された下部要素２１と、この下部要素２１に上下スライド可能に嵌め合わされ前記輸液フック３を支持する上部要素２２とを備えたものである。前記下部要素２１は、脚ベース１の前記中心フレーム１２１に立設された金属パイプ材製のものである。前記上部要素２２は、前記下部要素２１の内周にスライド可能に嵌合された金属パイプ材製のものである。この上部要素２２を緊締機構２３により前記下部要素２１に対して上下位置変更可能に固定している。この緊締機構２３は、前記輸液フック３よりも下方に位置する部位に設けられている。前記緊締機構２３は、図７に示すように、前記支柱２に設けられた雌ねじ２３１ａを有するフレーム２３１と、このフレーム２３１の雌ねじ２３１ａに螺着された雄ねじ２３２ａを有するグリップ２３２と、前記雄ねじ２３２ａが外部に露出することを防止するカバー２３３とを具備する。換言すれば、前記緊締機構２３は、前記支柱２の下部要素２１の上端部に設けられた雌ねじ２３１ａを有するフレーム２３１と、このフレーム２３１の雌ねじ２３１ａに螺着されその先端で上部要素２２の外周を押し付けることによりこの上部要素２２を前記下部要素２１に固定するための雄ねじ２３２ａを有するグリップ２３２と、前記雄ねじ２３２ａが外部に露出することを防止するカバー２３３とを具備する。前記フレーム２３１は、前記支柱２の下部要素２１の上端部２１ａと、この上端部２１ａに外嵌させた合成樹脂製の外嵌部材２３１ｂとを備えてなるもので、前記下部要素２１の上端部２１ａ及び外嵌部材２３１ｂのいずれか一方に雌ねじ２３１ａを有している。前記グリップ２３２は、前記雄ねじ２３２ａを保持する軸部２３２ｂと、この軸部２３２ｂに回転力を付与するための把持部２３２ｃと、この把持部２３２ｃと前記軸部２３２ｂの外面とを滑らかに連続させる中間部２３２ｄとを備えたものである。すなわちこの中間部２３２ｄは、軸部２３２ｂから把持部２３２ｃに向かって漸次径が増大する曲面形状をなしている。前記カバー２３３は、前記フレーム２３１に設けられ前記グリップ２３２の軸部２３２ｂの外周に相対回転可能に外嵌する筒状のものである。具体的には、このカバー２３３は、前記フレーム２３１の外嵌部材２３１ｂと一体に形成された薄肉円筒体状のもので、このカバー２３３の外周面２３２ａと前記グリップ２３２の中間部２３２ｄの外周面２３２ｄ１とが大きな段差を伴うことなく略連続するように構成されている。そして、この支柱２の上端には、各輸液フック３に掛けられた輸液パックＰ同士が干渉しないように複数の前記輸液フック３が放射状に設けられている。この実施形態においては、４本の前記輸液フック３を着脱自在に取り付けることができるようになっているが、図面では２本の輸液フック３を装着した状態を示している。
【００２３】
前記各輸液フック３は、図１及び図２に示すように、支柱２に設けたフック取付部材５から外方に延出する延出桿３１と、この延出桿３１の延出端部に設けられたフック本体３２とを備えている。これら延出桿３１と前記フック本体３２とは、連続した細長い素材により作られたものであり、同一平面に沿って配置されている。前記フック本体３２は、前記延出桿３１の延出端に連続して設けられ上下方向に延びる上下延出部３２１と、この上下延出部３２１の延出端に連続して設けられ支柱２側に折り返す折り返し部３２２とを具備してなり、その折り返し部３２２の先端３２２ｘと前記延出桿３１との間に形成される開口３ｓが、支柱２側から輸液パックＰを挿脱し得る方向に開放されている。前記上下延出部３２１は、延出桿３１の延出端から下方に垂下するもので、病室で一般的に用いられているカーテンの網目の寸法よりも大きな上下方向寸法ｈ３を有している。前記折り返し部３２２は、上下延出部３２１の延出端に連続して設けられ前記輸液パックＰを掛け止める略Ｕ字状をなす掛け止め部分３２２ａと、この掛け止め部分３２２ａから連続して上方に延びる上向き部分３２２ｂと、この上向き部分３２２ｂの上端に連続して設けられ支柱２に向かって延びる先端部分３２２ｃとを備えたものであり、この先端部分３２２ｃと前記延出桿３１との間に輸液パックＰを挿脱するための開口３ｓが形成されている。前記折り返し部３２２の先端３２２ｘは、支柱２に向けて延出している。すなわち、前記折り返し部３２２の先端部分３２２ｃは、前記延出桿３１と平行である。前記延出桿３１は、図８に示すように、その基端に下方に屈曲して垂下する垂下部３１１を備えている。前記フック取付部材５は、支柱２の上端部に装着されたもので、その上面に、中心ボルト挿通孔５１と、この中心ボルト挿通孔５１の近傍から放射状に形成された複数本の延出桿保持溝５２と、これら各延出桿保持溝５２の基端に連続させて設けられた縦穴５３とが設けられている。前記延出桿３１は、その垂下部３１１を前記縦穴５３に挿入するとともに、その垂下部３１１に連続する基端部３１２を前記延出桿保持溝５２に嵌め合わせることによりフック取付部材５に保持されるようになっている。なお、フック取付部材５の上面には、前記中心ボルト挿通孔５１に対応する中心孔６１と、前記延出桿保持溝５２に対応する保持溝６２とを有したキャップ６が装着されるようになっており、このキャップ６の中心孔６１と前記フック取付部材５の中心ボルト挿通孔５１に挿通させたボルト６３を支柱２の内部に固設した図示しないナットに螺着することにより前記各延出桿３１を前記フック取付部材５に固定するようにしてある。以上のような輸液フック３の下方に、手を掛けることができるハンドル４を設けている。
【００２４】
前記ハンドル４は、図１〜図５に示すように、支柱２を囲う環状のハンドル本体４１と、このハンドル本体４１を支柱２に支持させるためのボス部４２とを備えてなる。このハンドル４は、左右両側及び前側からそれぞれ把持可能であり、このハンドル本体４１の内周面４１ａ側に全周に亘って連続した環状空間を形成している。本実施形態では、前記ハンドル本体４１の内周面４１ａ、上面４１ｂ及び外周面４１ｃが全周に亘って途切れることなく連続している。前記ハンドル本体４１は、環状をなす持ち手部４１１と、この持ち手部４１１の下面４１１ａと前記ボス部４２とを連結する連結部４１２とを備えており、その上面４１ｂが略水平となるように前記支柱２に取り付けられている。前記持ち手部４１１は、平面視において長軸を左右方向に向けて支柱２に取り付けられた楕円形状をなし、その断面形状は手を掛けやすくすべく略円形状に設定されている。前記環状空間は、この持ち手部４１１の内周に沿って環状をなすように連続したものである。前記連結部４１２は、前記持ち手部４１１の左右両端の下面４１１ａからそれぞれ前記ボス部４２に向かい延びる帯状のもので、持ち手部４１１に手を掛けた際に手と干渉しにくい位置に配している。前記ボス部４２は平面視において前記持ち手部４１１の中心に位置されている。このボス部４２は、支柱２に対して上下方向に取付位置を変更可能に取り付けられており、このハンドル４のボス部４２を緊締機構４３により前記支柱２に対して上下位置変更可能に固定している。この緊締機構４３は、前記ハンドル４の持ち手部４１１よりも下方に位置する部位に設けられている。前記緊締機構４３は、前記ハンドル４のボス部４２により構成される雌ねじを有するフレーム４３１と、このフレーム４３１の雌ねじに螺着された雄ねじを有するグリップ４３２と、前記雄ねじが外部に露出することを防止するカバー４３３とを具備する。この緊締機構４３は、前述した支柱２の上部要素２２を下部要素２１に固定するための緊締機構２３に準じた構成をなすものであるため、図示及び詳細な説明は省略する。
【００２５】
そして、この点滴スタンドＳは、図５及び図９を参照しつつ以下に述べるような手順によりネスティング可能である。まず、特定の点滴スタンドＳ（１）のハンドル４と、この特定の点滴スタンドＳ（１）と同一構造をなす他の点滴スタンドＳ（２）のハンドル４との上下方向相対位置を持ち手部４１１の上下方向寸法以上異ならせておく。次いで、特定の点滴スタンドＳ（１）の前方から、この点滴スタンドＳ（１）の中心フレーム１２１に他の点滴スタンドＳ（２）の中心フレーム１２１が平行となるように他の点滴スタンドＳ（２）を接近させる。このとき、特定の点滴スタンドＳ（１）の前側の脚フレーム１２２の下方に形成された蹴り込み空間１ｓ４を他の点滴スタンドＳ（２）の後側の脚フレーム１２３が通過する。そして、特定の点滴スタンドＳ（１）の支柱２に他の点滴スタンドＳ（２）のハンドル４の持ち手部４１１が接近又は当接し、特定の点滴スタンドＳ（１）の前側に他の点滴スタンドＳ（２）をネスティングさせることができる。
【００２６】
以上に述べたように、本実施形態にかかる点滴スタンドＳは、移動可能な脚ベース１に支柱２を支持させ、その支柱２に輸液パックＰを掛けるための輸液フック３を設けてなるものであって、前記脚ベース１が、前側の左右に隣接する２つのキャスタ１１間の距離ｗ１を前側の左のキャスタ１１に隣接する後側の左のキャスタ１１と前側の右のキャスタ１１に隣接する後側の右のキャスタ１１との間の距離ｗ２よりも大きく設定したもので、前側の左右のキャスタ１１間に前方に開放された前の起立空間１ｓ１が形成され、前側の左のキャスタ１１と後側の左のキャスタ１１との間に左側方及び後方に開放された左の起立空間１ｓ２が形成され、前側の右のキャスタ１１と後側の右のキャスタ１１との間に右側方及び後方に開放された右の起立空間１ｓ３が形成されるように構成されたものであるので、少なくとも４つのキャスタ１１を備えているため、安定性を損ねることがなく、また、前の起立空間１ｓ１を利用して使用者Ｕが前方から無理なく点滴スタンドＳを移動させることができ、また、左の起立空間１ｓ２または右の起立空間１ｓ３を利用して使用者Ｕが左右側方から無理なく点適スタンドＳを移動させることができる。
【００２７】
すなわち、本実施形態の脚ベース１は、先端部１２２ａ、１２３ａにキャスタ１１を設けた４本の脚フレーム１２２、１２３を備えたものであり、脚フレーム１２２、１２３の先端部１２２ａ、１２３ａ以外の部分が、少なくとも前側の左のキャスタ１１と後側の左のキャスタ１１とを結ぶ直線よりも内側に位置しているので、図１０に模式的に示すように、前後のキャスタ１１と支柱２とを平面視で結ぶ仮想三角形の内部に、使用者Ｕが起立して静止または歩行できる左の起立空間１ｓ２が形成される。なお、図１０における左端の矢印は、使用者Ｕの進行方向を示している。脚ベース１がこのような構造であるため、使用者Ｕは、この左の起立空間１ｓ２内に脚の一部を配置することができ、支柱２又はハンドル４に手を掛けて点滴スタンドＳを移動させる動作を無理なく行うことができる。すなわち、使用者Ｕは、従来よりも支柱２側に近づくことができるため、比較的安定した姿勢で点滴スタンドＳを移動させることができる。特に、この左の起立空間１ｓ２が後方にも開放されたものであるので、左の起立空間１ｓ２に起立して歩行する使用者Ｕが、後側の脚フレーム１２３にかかとを引っ掛けてしまう可能性を少なくすることができ、無理な歩幅で歩くことを抑制できる。
【００２８】
また、右側も同様に、脚フレーム１２２、１２３の先端部１２２ａ、１２３ａ以外の部分が、少なくとも前側の右のキャスタ１１と後側の右のキャスタ１１とを結ぶ直線よりも内側に位置しているので、前後のキャスタ１１と支柱２とを平面視で結ぶ仮想三角形の内部に、使用者Ｕが起立して静止または歩行できる右の起立空間１ｓ３が形成される。そして、使用者Ｕは、この右の起立空間１ｓ３内に脚の一部を配置することができ、支柱２又はハンドル４に手を掛けて点滴スタンドＳを移動させる動作を無理なく行うことができる。特に、この右の起立空間１ｓ３が後方にも開放されたものであるので、右の起立空間１ｓ３に起立して歩行する使用者Ｕが、後側の脚フレーム１２３にかかとを引っ掛けてしまう可能性を少なくすることができ、無理な歩幅で歩くことを抑制できる。
【００２９】
さらに、前側についても、前側の脚フレーム１２２の先端部１２２ａ以外の部分が、少なくとも前側の左のキャスタ１１と前側の右のキャスタ１１とを結ぶ直線よりも内側に位置しているので、図１１に模式的に示すように、前側の左右のキャスタ１１と支柱２とを平面視で結ぶ仮想三角形の内部に、使用者Ｕが起立して静止または歩行できる前の起立空間１ｓ１が形成される。より具体的には、中心フレーム１２１と２本の前側の脚フレーム１２２とによって囲まれる平面視台形状の空間の内部に、前記前の起立空間１ｓ１が形成される。なお、図１１における左端の矢印は、使用者Ｕの進行方向を示している。脚ベース１がこのような構造であるため、使用者Ｕは、この前の起立空間１ｓ１内に脚の一部を配置することができ、支柱２又はハンドル４に手を掛けて点滴スタンドＳを移動させる動作を無理なく行うことができる。すなわち、使用者Ｕは、従来よりも支柱２側に近づくことができるため、比較的安定した姿勢で点滴スタンドＳを移動させることができる。
【００３０】
本実施形態では、前記脚ベース１が、前記支柱２を支持するための左右方向に延びる中心フレーム１２１と、この中心フレーム１２１の左右両端から前方に延出する前側の２本の脚フレーム１２２と、前記中心フレーム１２１の中間部から後方に延出する後側の２本の脚フレーム１２３とを備えたものであるので、各起立空間１ｓ１、１ｓ２、１ｓ３を比較的大きく設定することができる。すなわち、中心フレーム１２１が左右方向に延びるものであるので、前の起立空間１ｓ１を左右方向に大きく設定することができる。また、前側の脚フレーム１２２が中心フレーム１２１の両端から延出している一方、後側の脚フレーム１２３が中心フレーム１２１の中間部から延出しているため、左右の起立空間１ｓ２、１ｓ３もそれほど小さくなることはない。
【００３１】
前記脚ベース１は、前側の左右のキャスタ１１を支持する２本の脚フレーム１２２間に前方に開放された前の起立空間１ｓ１が形成され、前側の左のキャスタ１１を支持する脚フレーム１２２と後側の左のキャスタ１１を支持する脚フレーム１２３との間に左側方及び後方に開放された左の起立空間１ｓ２が形成され、前側の右のキャスタ１１を支持する脚フレーム１２２と後側の右のキャスタ１１を支持する脚フレーム１２３との間に右側方及び後方に開放された右の起立空間１ｓ３が形成されるように構成されたものであるので、脚フレーム１２２、１２３間に形成された各起立空間１ｓ１、１ｓ２、１ｓ３を利用して、従来よりも使用者Ｕが支柱２に近づきやすくすることができる。
【００３２】
特に、本実施形態では各脚フレーム１２２、１２３が、基端側から先端側まで略同一の幅寸法を有したものであるため、脚ベース１全体をすっきりとした印象にすることができ、使用者Ｕが起立空間１ｓ１、１ｓ２、１ｓ３に立ちやすくすることができる。また、これらの脚フレーム１２２、１２３及び中心フレーム１２１は、樹脂の一体成形で作られているので、従来の金属製のものと異なり、使用者Ｕの脚が当たったときの感触を柔らかくできるとともに、点滴スタンドＳの外観で優しい印象を与えることができる。各脚フレーム１２２、１２３の先端部１２２ａ、１２３ａには、衝突防止用のバンパーを付けた態様を図示しているが、このバンパーを備えていないものであってもよい。
【００３３】
また、支柱２に、左右両側及び前側からそれぞれ把持可能なハンドル４が設けられているので、前記左の起立空間１ｓ２、右の起立空間１ｓ３、または前の起立空間１ｓ１に起立した使用者Ｕがハンドル４に手をかけやすい。
【００３４】
さらに、本実施形態の点滴スタンドＳの脚ベース１は、先端部１２２ａ、１２３ａにキャスタ１１を設けた４本の脚フレーム１２２、１２３を有し、前側のキャスタ１１を支持する２本の脚フレーム１２２及び後側のキャスタ１１を支持する２本の脚フレーム１２３がそれぞれ平面視において先端側が拡開するハの字状に配されており、前側の脚フレーム１２２の下に同一構造をなす他の点滴スタンドＳの後側の脚フレーム１２３を通過させることが可能な空間が形成されるように構成されているので、複数の点滴スタンドＳを水平方向に重ねることができる。
【００３５】
また、支柱２に、左右両側及び前側からそれぞれ把持可能なハンドル４が上下方向に取付位置を変更可能に設けられているので、複数の点滴スタンドＳを水平方向に重ねる際には、隣接するハンドル４同士の高さ位置を相互に変更することによって、ハンドル４同士が干渉することなくネスティングさせることができる。したがって、より多くの点滴スタンドＳをネスティングさせることができ、ネスティング効率を高めることができる。なお、本実施形態では、隣接する点滴スタンドＳ間のピッチを約１２０ｍｍに設定している。
【００３６】
さらに、前側の脚フレーム１２２の下に設けられた同一構造をなす他の点滴スタンドＳの後側の脚フレーム１２３を通過させることが可能な空間は、前記左の起立空間１ｓ２、右の起立空間１ｓ３、または前の起立空間１ｓ１に起立した使用者Ｕのつま先が入り込み得る蹴り込み空間１ｓ４としての役割も担っている。そのため、前記各起立空間１ｓ１、１ｓ２、１ｓ３に起立して歩行する使用者Ｕが、前側の脚フレーム１２２につま先を引っ掛けてしまう可能性を少なくすることができ、無理な歩幅で歩くことを抑制できる。
【００３７】
なお、本発明は以上に述べた実施形態に限られない。
【００３８】
＜第二実施形態（図１３〜図１６）＞
例えば、第二実施形態として、図１３〜図１６に示すような脚ベースＸ１を備えたものが考えられる。図１３〜図１６では、脚ベースＸ１以外の各部位には、上述した実施形態における符号の前にＸを付加した符号を付している。また、図１３〜図１６においては、支柱Ｘ２を一部省略して示している。この脚ベースＸ１は、キャスタＸ１１と、キャスタＸ１１を支持する支持部材Ｘ１２とを具備してなる。支持部材Ｘ１２は、樹脂により一体に成形されたもので、前記支柱Ｘ２を支持するための左右方向に延びる中心フレームＸ１２１と、この中心フレームＸ１２１の左右両端から前方に延出する前側の２本の脚フレームＸ１２２と、前記中心フレームＸ１２１の中間部から後方に延出する後側の２本の脚フレームＸ１２３とを備えており、平面視略Ｈ字状をなしている。前記中心フレームＸ１２１の中央には、前記支柱Ｘ２が立設されている。前記中心フレームＸ１２１及び前記前側の２本の脚フレームＸ１２２は、略同一平面上に配置されている。また、前記後側の２本の脚フレームＸ１２３は、前記中心フレームＸ１２１から後方斜め下方に延びるように配置されたものであり、その基端がこれら中心フレームＸ１２１及び前側の２本の脚フレームＸ１２２と略同一平面上に配置されているとともに、先端に向かって漸次下方に向かう傾斜が設けられている。換言すれば、前記後側の２本の脚フレームＸ１２３の先端部Ｘ１２３ａの高さ位置は、前側の２本の脚フレームＸ１２２の先端部Ｘ１２２ａの高さ位置よりも下方に設定されている。そして、この支持部材Ｘ１２の高さ寸法Ｘｈ１は、一般的な病室用ベッド下方の隙間に挿入可能な大きさに設定されている。また、この脚ベースＸ１は、前側の左右に隣接する２つのキャスタＸ１１間の距離Ｘｗ１を前側の左のキャスタＸ１１に隣接する後側の左のキャスタＸ１１と前側の右のキャスタＸ１１に隣接する後側の右のキャスタＸ１１との間の距離Ｘｗ２よりも大きく設定してある。さらに、この脚ベースＸ１は、前側の左右のキャスタＸ１１間に前方に開放された前の起立空間Ｘ１ｓ１が形成され、前側の左のキャスタＸ１１と後側の左のキャスタＸ１１との間に左側方及び後方に開放された左の起立空間Ｘ１ｓ２が形成され、前側の右のキャスタＸ１１と後側の右のキャスタＸ１１との間に右側方及び後方に開放された右の起立空間Ｘ１ｓ３が形成されるように構成されたものである。すなわち、脚フレームＸ１２２、Ｘ１２３の先端部Ｘ１２２ａ、Ｘ１２３ａ以外の部分が、少なくとも前側の左のキャスタＸ１１と後側の左のキャスタＸ１１とを結ぶ直線、前側の右のキャスタＸ１１と後側の右のキャスタＸ１１とを結ぶ直線よりも内側に位置している。また、前側の脚フレームＸ１２２の先端部Ｘ１２２ａ以外の部分が、前側の左のキャスタＸ１１と前側の右のキャスタＸ１１とを結ぶ直線よりも内側に位置している。具体的には、前記脚ベースＸ１は、先端にキャスタＸ１１を有した４本の脚フレームＸ１２２、Ｘ１２３を有する。前側のキャスタＸ１１を支持する２本の脚フレームＸ１２２は平面視において先端側が拡開するハの字状に配されている。後側のキャスタＸ１１を支持する２本の脚フレームＸ１２３は、平面視において先端側がそれぞれ中心フレームＸ１２１の延出方向に対して直交する方向に配されている。換言すれば、後側のキャスタＸ１１を支持する２本の脚フレームＸ１２３は、互いに平行に配されている。前側の脚フレームＸ１２２の下に同一構造をなす他の点滴スタンドＸＳの後側の脚フレームＸ１２３を重ねることが可能な空間が形成されるように構成されている。換言すれば、前後に隣接する点滴スタンドＸＳの後側の脚フレームＸ１２３同士を上下方向に重ねることが可能に構成されている。この構成によって、図１５及び図１６に示すような態様で、本実施形態に係る特定の点滴スタンドＸＳ（１）の前方に同一構造をなす他の点滴スタンドＸＳ（２）をネスティングすることができる。前記前の起立空間Ｘ１ｓ１は、平面視において前方に開放されたもので、この点滴スタンドＸＳの前側に起立した使用者が当該点滴スタンドＸＳを後方に、すなわち使用者の進行方向に押しながら歩行することが可能な大きさに設定されている。前記左の起立空間Ｘ１ｓ２は、平面視において左側方及び後方に開放されたもので、この点滴スタンドＸＳの左側に起立した使用者が当該点滴スタンドＸＳを前方に押しながら歩行することが可能な大きさに設定されている。前記右の起立空間Ｘ１ｓ３は、平面視において右側方及び後方に開放されたもので、この点滴スタンドＸＳの右側に起立した使用者が当該点滴スタンドＸＳを前方に押しながら歩行することが可能な大きさに設定されている。そして、前記支持部材Ｘ１２を構成する前側の２本の脚フレームＸ１２２の下に、前記前の起立空間Ｘ１ｓ１及び前記左右の起立空間Ｘ１ｓ２、Ｘ１ｓ３にそれぞれ連通する蹴り込み空間Ｘ１ｓ４が形成されている。この蹴り込み空間Ｘ１ｓ４は、正面視、側面視及び背面視において視認可能に開口したもので、その高さ寸法Ｘｈ２は、一般的な体格を有する成人のつま先が歩行中に進入可能な大きさに設定されている。
【００３９】
本実施形態に係る脚ベースＸ１を有する点滴スタンドＸＳの構成によっても、上述した第一実施形態に係る点滴スタンドＳと同一又はこれに準じた効果を得ることができる。
【００４０】
また、脚ベース１は、前記第一実施形態で示したものに限られず、例えば、図１７ないし図２３に示すようなものであってもよい。以下、第一実施形態の点滴スタンドＳの構成と同一の部分には同様の符号を付して、詳細な説明を省略する。
【００４１】
＜第三実施形態（図１７、図１８）＞
第三実施形態に係る点適スタンドは、同一構造をなす複数の点滴スタンドＳを水平方向にネスティングさせない態様のものであり、この脚ベース１は、図１７及び図１８に示すように、支柱２を支持するための左右方向に延びる中心フレーム１２１と、この中心フレーム１２１の左右両端から前方に延出する前側の２本の脚フレーム１２２と、前記中心フレーム１２１の左右両端から後方に延出する後側の２本の脚フレーム１２３とを備えたものである。この脚ベース１は、前側の左右のキャスタ１１を支持する２本の脚フレーム１２２間に前方に開放された前の起立空間１ｓ１が形成され、前側の左のキャスタ１１を支持する脚フレーム１２２と後側の左のキャスタ１１を支持する脚フレーム１２３との間に左側方及び後方に開放された左の起立空間１ｓ２が形成され、前側の右のキャスタ１１を支持する脚フレーム１２２と後側の右のキャスタ１１を支持する脚フレーム１２３との間に右側方及び後方に開放された右の起立空間１ｓ３が形成されるように構成されたものである。詳述すれば、この脚ベース１は、先端部にキャスタ１１を設けた４本の脚フレーム１２２、１２３を有し、前側のキャスタ１１を支持する２本の脚フレーム１２２が平面視において先端側が拡開するハの字状に配されているとともに、後側のキャスタ１１を支持する２本の脚フレーム１２３が平面視において先端側が同方向に延出するように平行に配されている。この脚ベース１は、隣接するキャスタ１１間に使用者Ｕが歩行可能な前記前の起立空間１ｓ１、左の起立空間１ｓ２及び右の起立空間１ｓ３がそれぞれ形成され、キャスタ１１を支持する脚フレーム１２２の下に、前記起立空間１ｓ１、１ｓ２、１ｓ３に連通する蹴り込み空間１ｓ４が形成されるように構成されている。この脚ベース１は、前記前側の２本の脚フレーム１２２及び２本の後側の脚フレーム１２３が略同一平面上に配置されるとともに、これら脚フレーム１２２、１２３が前記中心フレーム１２１の下面から略水平に延びるように配置されたものであり、前記前側の２本の脚フレーム１２２の下及び中心フレーム１２１の下に前記蹴り込み空間１ｓ４が形成されている。
【００４２】
このようなものであれば、上述した第一実施形態と同一またはこれに準じた効果が得られる。
【００４３】
＜第四実施形態（図１９）＞
第四実施形態に係る点滴スタンドＳは、図１９に模式的に示すように、脚ベース１が、支柱２を支持するための左右方向に延びる中心フレーム１２１と、この中心フレーム１２１の左右両端から前方に延出する前側の２本の脚フレーム１２２と、前記中心フレーム１２１の中間部から後方に延出する後側の３本の脚フレーム１２３、１２４とを備えたものである。この脚ベース１は、前側の左右のキャスタ１１を支持する２本の脚フレーム１２２間に前方に開放された前の起立空間１ｓ１が形成され、前側の左のキャスタ１１を支持する脚フレーム１２２と後側の左のキャスタ１１を支持する脚フレーム１２３との間に左側方及び後方に開放された左の起立空間１ｓ２が形成され、前側の右のキャスタ１１を支持する脚フレーム１２２と後側の右のキャスタ１１を支持する脚フレーム１２３との間に右側方及び後方に開放された右の起立空間１ｓ３が形成されるように構成されたものである。詳述すれば、この脚ベース１は、先端部にキャスタ１１を設けた５本の脚フレーム１２２、１２３、１２４を有し、前記脚ベース１が、前側のキャスタ１１を支持する２本の脚フレーム１２２及び後側のキャスタ１１を支持する左右両端の２本の脚フレーム１２３がそれぞれ平面視において先端側が拡開するハの字状に配されているとともに、前記後側の脚フレーム１２３の間に後方に延出する第五の脚フレーム１２４が配されている。この脚ベース１は、隣接するキャスタ１１間に使用者Ｕが歩行可能な前記前の起立空間１ｓ１、左の起立空間１ｓ２及び右の起立空間１ｓ３がそれぞれ形成され、キャスタ１１を支持する脚フレーム１２２の下及び中心フレーム１２１の下に、前記起立空間１ｓ１、１ｓ２、１ｓ３に連通する蹴り込み空間１ｓ４が形成されるように構成されている。この蹴り込み空間１ｓ４は、第一実施形態ないし第三実施形態に準じたものとすればよい。
【００４４】
このようなものであれば、上述した第一実施形態と同一またはこれに準じた効果が得られる。なお、前記第五の脚フレーム１２４は、前記中心フレーム１２１と後側の脚フレーム１２３とで囲まれた空間に配されるものであれば、どのようなものであってもよく、模式的に示したような長尺なものには限られず、例えば、この空間を覆うようなものであってもよい。また、長尺なものである場合にも、第五の脚フレーム１２４の数は、１本に限られず、複数本であってもよい。
【００４５】
＜第五実施形態（図２０）＞
第五実施形態に係る点滴スタンドＳは、図２０に模式的に示すように、脚ベース１が、支柱２を支持するための左右方向に延びる中心フレーム１２１と、この中心フレーム１２１の左右両端から前方に延出する前側の２本の脚フレーム１２２と、前記中心フレーム１２１の中間部から後方に延出する後側の２本の脚フレーム１２３とを備えたものである。この脚ベース１は、前側の左右のキャスタ１１を支持する２本の脚フレーム１２２間に前方に開放された前の起立空間１ｓ１が形成され、前側の左のキャスタ１１を支持する脚フレーム１２２と後側の左のキャスタ１１を支持する脚フレーム１２３との間に左側方及び後方に開放された左の起立空間１ｓ２が形成され、前側の右のキャスタ１１を支持する脚フレーム１２２と後側の右のキャスタ１１を支持する脚フレーム１２３との間に右側方及び後方に開放された右の起立空間１ｓ３が形成されるように構成されたものである。詳述すれば、この脚ベース１は、先端部にキャスタ１１を設けた４本の脚フレーム１２２、１２３を有し、前記脚ベース１が、前側のキャスタ１１を支持する２本の脚フレーム１２２が平面視において先端側が拡開するハの字状に配されているとともに、後側のキャスタ１１を支持する左右両端の２本の脚フレーム１２３が平面視において先端側が幅狭となる逆ハの字状に配されている。この脚ベース１は、隣接するキャスタ１１間に使用者Ｕが歩行可能な前記前の起立空間１ｓ１、左の起立空間１ｓ２及び右の起立空間１ｓ３がそれぞれ形成され、キャスタ１１を支持する脚フレーム１２２の下及び中心フレーム１２１の下に、前記起立空間１ｓ１、１ｓ２、１ｓ３に連通する蹴り込み空間１ｓ４が形成されるように構成されている。この蹴り込み空間１ｓ４は、第一実施形態ないし第三実施形態に準じたものとすればよい。
【００４６】
このようなものであれば、上述した第一実施形態と同一またはこれに準じた効果が得られる。
【００４７】
＜第六実施形態（図２１）＞
第六実施形態に係る点滴スタンドＳは、図２１に模式的に示すように、脚ベース１が、支柱２を支持するための左右方向に延びる中心フレーム１２１と、この中心フレーム１２１の左右両端から前方に延出する前側の２本の脚フレーム１２２と、前記中心フレーム１２１の中間部から後方に延出する後側の２本の脚フレーム１２３と、これら後側の脚フレーム１２３の先端部間に配される第五の脚フレーム１２５とを備えたものである。この脚ベース１は、前側の左右のキャスタ１１を支持する２本の脚フレーム１２２間に前方に開放された前の起立空間１ｓ１が形成され、前側の左のキャスタ１１を支持する脚フレーム１２２と後側の左のキャスタ１１を支持する脚フレーム１２３との間に左側方及び後方に開放された左の起立空間１ｓ２が形成され、前側の右のキャスタ１１を支持する脚フレーム１２２と後側の右のキャスタ１１を支持する脚フレーム１２３との間に右側方及び後方に開放された右の起立空間１ｓ３が形成されるように構成されたものである。詳述すれば、この脚ベース１は、先端部にキャスタ１１を設けた４本の脚フレーム１２２、１２３を有し、前記脚ベース１が、前側のキャスタ１１を支持する２本の脚フレーム１２２が平面視において先端側が拡開するハの字状に配されているとともに、後側のキャスタ１１を支持する左右両端の２本の脚フレーム１２３が平面視において先端側が幅狭となる逆ハの字状に配されている。第五の脚フレーム１２５は、前記中心フレーム１２１と平行に配されている。この脚ベース１は、隣接するキャスタ１１間に使用者Ｕが歩行可能な前記前の起立空間１ｓ１、左の起立空間１ｓ２及び右の起立空間１ｓ３がそれぞれ形成され、キャスタ１１を支持する脚フレーム１２２の下及び中心フレーム１２１の下に、前記起立空間１ｓ１、１ｓ２、１ｓ３に連通する蹴り込み空間１ｓ４が形成されるように構成されている。この蹴り込み空間１ｓ４は、第一実施形態ないし第三実施形態に準じたものとすればよい。
【００４８】
このようなものであれば、上述した第一実施形態と同一またはこれに準じた効果が得られる。
【００４９】
＜第七実施形態（図２２）＞
第七実施形態に係る点滴スタンドＳは、図２２に模式的に示すように、脚ベース１が、支柱２を支持するための前後方向に延びる中心フレーム１２１と、この中心フレーム１２１の前端から前方に延出する前側の２本の脚フレーム１２２と、前記中心フレーム１２１の後端から後方に延出する後側の２本の脚フレーム１２３とを備えたものである。この脚ベース１は、前側の左右のキャスタ１１を支持する２本の脚フレーム１２２間に前方に開放された前の起立空間１ｓ１が形成され、前側の左のキャスタ１１を支持する脚フレーム１２２と後側の左のキャスタ１１を支持する脚フレーム１２３との間に左側方及び後方に開放された左の起立空間１ｓ２が形成され、前側の右のキャスタ１１を支持する脚フレーム１２２と後側の右のキャスタ１１を支持する脚フレーム１２３との間に右側方及び後方に開放された右の起立空間１ｓ３が形成されるように構成されたものである。詳述すれば、この脚ベース１は、先端部にキャスタ１１を設けた４本の脚フレーム１２２、１２３を有し、前記脚ベース１が、前側のキャスタ１１を支持する２本の脚フレーム１２２及び後側のキャスタ１１を支持する２本の脚フレーム１２３がそれぞれ平面視において先端側が拡開するハの字状に配されている。この脚ベース１は、隣接するキャスタ１１間に使用者Ｕが歩行可能な前記前の起立空間１ｓ１、左の起立空間１ｓ２及び右の起立空間１ｓ３がそれぞれ形成され、キャスタ１１を支持する脚フレーム１２２の下に、前記起立空間１ｓ１、１ｓ２、１ｓ３に連通する蹴り込み空間１ｓ４が形成されるように構成されている。この蹴り込み空間１ｓ４は、第一実施形態ないし第三実施形態に準じたものとすればよい。
【００５０】
このようなものであれば、上述した第一実施形態と同一またはこれに準じた効果が得られる。また、本実施形態のように前後方向に延びる中心フレーム１２１を備えたものであれば、前記左の起立空間１ｓ２及び右の起立空間１ｓ３を大きく設定することができる。
【００５１】
＜第八実施形態（図２３）＞
第八実施形態に係る点滴スタンドＳは、図２３に模式的に示すように、脚ベース１が、支柱２を支持するための矩形状をなす中心フレーム１２１と、この中心フレーム１２１の左右両端から前方に延出する前側の２本の脚フレーム１２２と、前記中心フレーム１２１の中間部から後方に延出する後側の２本の脚フレーム１２３とを備えたものである。この脚ベース１は、前側の左右のキャスタ１１を支持する２本の脚フレーム１２２間に前方に開放された前の起立空間１ｓ１が形成され、前側の左のキャスタ１１を支持する脚フレーム１２２と後側の左のキャスタ１１を支持する脚フレーム１２３との間に左側方及び後方に開放された左の起立空間１ｓ２が形成され、前側の右のキャスタ１１を支持する脚フレーム１２２と後側の右のキャスタ１１を支持する脚フレーム１２３との間に右側方及び後方に開放された右の起立空間１ｓ３が形成されるように構成されたものである。詳述すれば、この脚ベース１は、先端部にキャスタ１１を設けた４本の脚フレーム１２２、１２３を有し、前記脚ベース１が、前側のキャスタ１１を支持する２本の脚フレーム１２２及び後側のキャスタ１１を支持する左右両端の２本の脚フレーム１２３がそれぞれ平面視において先端側が拡開するハの字状に配されている。この脚ベース１は、隣接するキャスタ１１間に使用者Ｕが歩行可能な前記前の起立空間１ｓ１、左の起立空間１ｓ２及び右の起立空間１ｓ３がそれぞれ形成され、キャスタ１１を支持する脚フレーム１２２、１２３の下に、前記起立空間１ｓ１、１ｓ２、１ｓ３に連通する蹴り込み空間１ｓ４が形成されるように構成されている。この蹴り込み空間１ｓ４は、第一実施形態ないし第三実施形態に準じたものとすればよい。
【００５２】
このようなものであれば、上述した第一実施形態と同一またはこれに準じた効果が得られる。なお、前記中心フレーム１２１の形状は、模式的に図示したものに限られず、種々変更可能である。
【００５３】
複数の点滴スタンドをネスティング可能にするために、第一実施形態では、脚ベースが、中心フレーム及び前側の２本の脚フレームが略同一平面上に配置されるとともに、前記後側の２本の脚フレームが前記中心フレームの下面から略水平に延びるように配置されるように構成していたが、これに限られず、例えば、各脚フレームが支柱側から先端部に向かって傾斜しているものであってもよい。
【００５４】
また、本発明では、支柱は、上述したものに限られず、伸縮しないもの等も含まれる。さらに、輸液パック保持部についても、フック状のものに限られず種々変更可能である。
【００５５】
なお、以上の実施形態において、前後左右の概念は説明の便宜上用いたものであり、使用者の使用方向を規定するものではない。
【００５６】
その他、本発明の趣旨を損ねない範囲で種々に変更してよい。
【符号の説明】
【００５７】
Ｓ、ＸＳ…点滴スタンド
１、Ｘ１…脚ベース
１１、Ｘ１１…キャスタ
１２１、Ｘ１２１…中心フレーム
１２２、Ｘ１２２…前側の脚フレーム
１２３、Ｘ１２３…後側の脚フレーム
１２２ａ、１２３ａ、Ｘ１２２ａ、Ｘ１２３ａ…先端部
ｗ１…前側の２つのキャスタ間の距離
ｗ２…後側の２つのキャスタ間の距離
１ｓ１、Ｘ１ｓ１…前の起立空間
１ｓ２、Ｘ１ｓ２…左の起立空間
１ｓ３、Ｘ１ｓ３…右の起立空間
２、Ｘ２…支柱
３、Ｘ３…輸液フック（輸液パック保持部）
４、Ｘ４…ハンドル
Ｐ…輸液パック
【図１】
2013017656.tif 000003
【図２】
2013017656.tif 000004
【図３】
2013017656.tif 000005
【図４】
2013017656.tif 000006
【図５】
2013017656.tif 000007
【図６】
2013017656.tif 000008
【図７】
2013017656.tif 000009
【図８】
2013017656.tif 000010
【図９】
2013017656.tif 000011
【図１０】
2013017656.tif 000012
【図１１】
2013017656.tif 000013
【図１２】
2013017656.tif 000014
【図１３】
2013017656.tif 000015
【図１４】
2013017656.tif 000016
【図１５】
2013017656.tif 000017
【図１６】
2013017656.tif 000018
【図１７】
2013017656.tif 000019
【図１８】
2013017656.tif 000020
【図１９】
2013017656.tif 000021
【図２０】
2013017656.tif 000022
【図２１】
2013017656.tif 000023
【図２２】
2013017656.tif 000024
【図２３】
2013017656.tif 000025